(57)【特許請求の範囲】
【請求項１】
底面に開口された底面吸込口と前記底面吸込口に連続させて開口された前側吸込口とを有する吸込口本体と、
前記吸込口本体に対する検知対象物の接近を検知する検知部と、
前記前側吸込口に対し遠近方向へ往復動自在な回転清掃体軸支部と、
前記回転清掃体軸支部に軸支されるとともに前記検知部によって前記検知対象物の接近が検知されたとき前記前側吸込口に近づく方向へ移動される回転清掃体と、
前記回転清掃体軸支部を前記前側吸込口から遠ざかる方向へ付勢させる付勢部材と、を備え、
前記回転清掃体は、前記前側吸込口に近づくに連れ前記底面吸込口にも近づく方向へ移動されることを特徴とする吸込口体。
【請求項２】
前記検知部は、前記吸込口体の前端を形成し前記前側吸込口を両側方から挟み込むように配置された一対の検知子を備えたことを特徴とする請求項１に記載の吸込口体。
【請求項３】
前記検知子は、弧状の前端縁を有することを特徴とする請求項２に記載の吸込口体。
【請求項４】
前記回転清掃体軸支部は、
前記回転清掃体の駆動力を発生させる駆動部と、
前記駆動部から前記回転清掃体に駆動力を伝達させる伝達部と、を備えたことを特徴とする請求項１から３のいずれか１項に記載の吸込口体。
【請求項５】
前記吸込口本体は、前記回転清掃体の駆動力として前記清掃体に吹き付けられる空気流を発生させる貫通孔を有することを特徴とする請求項１から３のいずれか１項に記載の吸込口体。
【請求項６】
前記回転清掃体は、
前記清掃体が設けられた軸部と、
前記軸部の軸芯に設けられ駆動力を発生させる駆動部と、を備えたことを特徴とする請求項１から３のいずれか１項に記載の吸込口体。
【請求項７】
請求項１から６のいずれか１項に記載の吸込口体を備えたことを特徴とする電気掃除機。
特徴とする電気掃除機。
【発明の詳細な説明】
【技術分野】
【０００１】
本発明は、回転清掃体を備えた吸込口体および電気掃除機に関する。
【背景技術】
【０００２】
底面から前側にかけて広範囲に開口された吸込口を有する吸込口本体と、吸込口本体内部の両端に軸受部を介して回転自在に支持された回転清掃体と、吸込口本体の前壁を形成し吸込口の前側部分を閉じるカバーと、を備えた吸込口体が知られている（例えば、特許文献１参照）。
【０００３】
この従来の吸込口体は、壁際に押しつけられると、壁に当接されたカバーが上方へ持ち上げられつつ吸込口本体の上方へ回転し吸込口の前側部分を開口させる。
【０００４】
従来の吸込口体は、吸込口の前側部分が開口されると、吸込口の前側部分からも空気を吸い込むことが可能になり、さらに回転清掃体を壁に近接または当接させて壁際のごみをかき取り、壁際の塵埃を効率よく除去できる。
【先行技術文献】
【特許文献】
【０００５】
【特許文献１】特開２００３−９３２８２号公報
【発明の概要】
【発明が解決しようとする課題】
【０００６】
従来の吸込口体は、吸込口の前側部分を覆うカバーを大きく開く（カバーを吸込口本体の上方へ回転させる）ことによって、吸込口本体の前側に向かって回転清掃体を露出させる。
【０００７】
このような従来の吸込口体は、電気掃除機のユーザがカバーを故意に開く（カバーを吸込口本体の上方へ回転させる）ことによって、回転清掃体を露出させる。回転清掃体が回転しているときカバーが故意に開かれると、電気掃除機のユーザは回転中の回転清掃体に容易に触れることができるので、安全性や衛生上の不都合が生じる虞がある。
【０００８】
本発明は、容易に触れることのできない回転清掃体を備え安全性を向上させるとともに、壁際などの構造物の隅部分の塵埃を効率的に掃除可能な吸込口体および電気掃除機を提案する。
【課題を解決するための手段】
【０００９】
前記の課題を解決するため本発明に係る吸込口体および電気掃除機は、底面に開口された底面吸込口と前記底面吸込口に連続させて開口された前側吸込口とを有する吸込口本体と、前記吸込口本体に対する検知対象物の接近を検知する検知部と、前記前側吸込口に対し遠近方向へ往復動自在な回転清掃体軸支部と、前記回転清掃体軸支部に軸支されるとともに前記検知部によって前記検知対象物の接近が検知されたとき前記前側吸込口に近づく方向へ移動される回転清掃体と、前記回転清掃体軸支部を前記前側吸込口から遠ざかる方向へ付勢させる付勢部材と、を備え、前記回転清掃体は、前記前側吸込口に近づくに連れ前記底面吸込口にも近づく方向へ移動されることを特徴とする。
【発明の効果】
【００１０】
本発明によれば、容易に触れることのできない回転清掃体を備え安全性を向上させるとともに、壁際などの構造物の隅部分の塵埃を効率的に掃除可能な吸込口体および電気掃除機を提案できる。
【図面の簡単な説明】
【００１１】
【図１】本発明の実施形態に係る電気掃除機の外観を示した斜視図。
【図２】本発明の実施形態に係る吸込口体を示した斜視図。
【図３】本発明の実施形態に係る吸込口体を示した断面図。
【図４】本発明の実施形態に係る吸込口体を示した断面図。
【図５】本発明の実施形態に係る吸込口体を示した断面図。
【図６】本発明の実施形態に係る吸込口体を示した底面図。
【図７】本発明の実施形態に係る吸込口体の他の例を示した断面図。
【図８】本発明の実施形態に係る吸込口体の他の例を示した断面図。
【発明を実施するための形態】
【００１２】
本発明に係る電気掃除機の実施形態について図１から図８を参照して説明する。
【００１３】
図１は、本発明の実施形態に係る電気掃除機の外観を示した斜視図である。
【００１４】
図１に示すように、電気掃除機１は、いわゆるキャニスタ型の電気掃除機である。電気掃除機１は、被掃除面上に配置される掃除機本体２と、掃除機本体２に着脱自在に接続された管部３と、を備える。
【００１５】
掃除機本体２は、本体ケース５と、本体ケース５の側方に回転自在に軸支された車輪６と、本体ケース５に収容された塵埃分離集塵部７と、塵埃分離集塵部７に連通された電動送風機８と、電動送風機８の駆動を制御する制御部９と、電動送風機８に電力を導く電源コード１１と、を備える。
【００１６】
本体ケース５は、塵埃分離集塵部７に連通された接続口１２を有する。
【００１７】
塵埃分離集塵部７は、電動送風機８が発生させた負圧によって電気掃除機１に吸い込まれる塵埃を含んだ空気から塵埃を分離し、捕集する。
【００１８】
車輪６は、掃除機本体２の走行用の大径の走行輪であり、本体ケース５の両側方に回転自在に軸支される。
【００１９】
制御部９は、予め設定された複数の運転モードを有し管部３から入力される操作信号に基づいて任意の運転モードを択一的に選択し電動送風機８を駆動させる。それぞれの運転モードは、電動送風機８の入力を互いに異ならせて設定される。
【００２０】
電源コード１１の自由端部は、電源プラグ１４を備える。
【００２１】
管部３は、掃除機本体２から作用する負圧によって被掃除面から塵埃を含んだ空気（含塵空気）を吸い込み掃除機本体２に案内する。管部３は、掃除機本体２の本体接続口１５に着脱自在に接続された接続管１９と、接続管１９に連通され可撓性を有する集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続され連通された吸込口体２６と、を備える。
【００２２】
集塵ホース２１は湾曲自在な細長略円筒状に形成される。集塵ホース２１の一端は、接続管１９に接続される。集塵ホース２１は、接続管１９を介して掃除機本体２の内部に連通される。
【００２３】
手元操作管２２の一端は、集塵ホース２１の他端に設けられる。手元操作管２２は、接続管１９および集塵ホース２１を介して掃除機本体２の内部に連通される。
【００２４】
把持部２３は、電気掃除機１のユーザが把持して電気掃除機１を操作するものである。把持部２３は、手元操作管２２の他端部から突出させて設けられ手元操作管２２の一端部に指向され湾曲させて形成される。
【００２５】
操作部２４は、制御部９に設定されたそれぞれの運転モードに対応させたスイッチを備える。具体的には、操作部２４は、電動送風機８を停止させる停止スイッチ２４ａと、電動送風機８の運転を開始させる起動スイッチ２４ｂと、を備える。電気掃除機１のユーザは、操作部２４を操作して電動送風機８の運転モードを択一的に選択できる。
【００２６】
延長管２５は、伸縮可能な細長略円筒状に形成される。延長管２５は、複数の筒状体を重ね合わせてテレスコピック構造に構成される。延長管２５の一端は、手元操作管２２の他端に着脱自在に接続される。延長管２５は、接続管１９、手元操作管２２および集塵ホース２１を介して掃除機本体２の内部に連通される。
【００２７】
吸込口体２６は、延長管２５の一端に着脱自在に接続される。吸込口体２６は、延長管２５、手元操作管２２および集塵ホース２１を介して掃除機本体２の内部に連通される。
【００２８】
図２は、本発明の実施形態に係る吸込口体を示した斜視図である。
【００２９】
図２に示すように、吸込口体２６は、略直方体形状の箱状の吸込口本体部３１と、吸込口本体部３１に対して多軸に回転自在な接続管部３２と、を備える。
【００３０】
ここで、吸込口体２６の前進方向（図２中、実線矢Ｘ）を前方、その反対方向を後方とする。また、吸込口体２６を床面などの略水平な被掃除面に配置させた状態で、後から前を見たときの左側（図２中、実線矢Ｙ）を左方、その反対方向を右方とする。さらに、吸込口体２６の前後方向および左右方向に直交する右手座標系の＋Ｚ方向を上方とし、その反対方向を下方とする。
【００３１】
吸込口本体部３１は、平面視において前後方向に短辺、左右方向に長辺を有するケース体３４を備える。ケース体３４は、上方が開放された箱状の下ケース３５と、下ケース３５の後半部を覆う上ケース３６と、下ケース３５の前半部を覆う蓋ケース３７と、を備える。
【００３２】
また、吸込口本体部３１は、ケース体３４の前面に開口された前側吸込口３９を有するとともに、前側吸込口３９を両側方から挟み込むように配置された一対の検知子４１と、を備える。
【００３３】
検知子４１は、吸込口本体部３１の前方に向かって突出され、吸込口体２６（より詳しくは吸込口本体部３１）の前端を形成する。また、検知子４１は、上ケース３６、下ケース３５および蓋ケース３７に比べて軟質な樹脂で形成され、吸込口体２６の全面側のバンパとしても機能する。さらに、検知子４１は、平面視において円弧状の前端縁を有する。
【００３４】
接続管部３２は、吸込口本体部３１の後部側の幅方向略中央部に配置される。また、接続管部３２は、吸込口本体部３１に軸支された回転接続管部４３と、回転接続管部４３に軸支された揺動接続管部４４と、を備える。
【００３５】
回転接続管部４３は、吸込口本体部３１によって吸込口体２６の前後方向に沿う軸（Ｘ軸に一致する軸またはＸ軸に平行な軸）回りに回動自在に軸支される。
【００３６】
揺動接続管部４４は、回転接続管部４３に揺動自在に設けられる。すなわち、揺動接続管部４４は、回転接続管部４３の回転軸（Ｘ軸に一致する軸またはＸ軸に平行な軸）に直交する軸回りに揺動自在に軸支される。また、揺動接続管部４４の自由端部は、延長管２５の自由端部に着脱自在に接続される。
【００３７】
図３は、本発明の実施形態に係る吸込口体を示した断面図である。なお、図３は、図２のＩＩＩ−ＩＩＩ線に沿う断面図である。
【００３８】
図３に示すように、吸込口体２６の吸込口本体部３１は、吸込室４５が区画されたケース体３４と、吸込室４５に配置された回転清掃体４６と、を備える。
【００３９】
ケース体３４は、吸込口本体部３１の底面３１ａに開口された底面吸込口４７と、底面吸込口４７に連続させて前面３１ｂに開口された前側吸込口３９と、を有する。掃除の際、床面などの被掃除面に吸込口体２６が配置されると、底面吸込口４７を有する底面３１ａは被掃除面に対向される。このとき、前側吸込口３９は、吸込口体２６の前方に指向される。
【００４０】
また、吸込室４５は、下ケース３５および蓋ケース３７によって区画される。
【００４１】
吸込室４５は、底面吸込口４７および前側吸込口３９を介して吸込口本体部３１の外部の空間に連通され、他方、下ケース３５と上ケース３６との間に設けられた案内管４９を介して接続管部３２に連通される。
【００４２】
回転清掃体４６は、吸込室４５に回転自在に配置される。また、回転清掃体４６は、軸部５１と、軸部５１の側面から螺旋帯状に突設されたブラシ毛５２（清掃体）と、を備える。なお、回転清掃体４６は、ブラシ毛５２の他にゴムなどの弾性体で形成されたブレード（図示省略）を備えても良い。
【００４３】
図４および図５は、本発明の実施形態に係る吸込口体を示した断面図である。なお、図４および図５は、図２のＩＶ−ＩＶ線に沿う断面図である。
【００４４】
図４および図５に示すように、吸込口体２６の吸込口本体部３１は、吸込口体２６（より詳しくは吸込口本体部３１）に対する検知対象物Ｗの接近を検知する検知部５３と、前側吸込口３９に対し遠近方向へ往復動自在な回転清掃体軸支部５４と、検知部５３の検知結果を回転清掃体軸支部５４に伝える反転伝達機構５５と、回転清掃体軸支部５４に軸支された回転清掃体４６と、回転清掃体軸支部５４を前側吸込口３９から遠ざかる方向へ付勢させる付勢部材５６と、を備える。
【００４５】
検知部５３は、吸込口体２６の前端を形成し、検知対象物Ｗに接すると吸込口本体部３１の後方へ向かって移動することで検知対象物Ｗの接近を機械的に検知する。検知部５３は、吸込口本体部３１の左右両端部に一対に設けられ、それぞれを独立させて摺動できる。また、検知部５３は、吸込口体２６の前方に向かって突出させた検知子４１と、検知子４１に一体的に形成され歯切りされたラック部５７と、を備える。
【００４６】
さらに、検知部５３は、ケース体３４に形成された検知部摺動溝５８によって吸込口本体部３１の前後方向に向かって摺動自在に保持される。
【００４７】
ラック部５７は、検知部摺動溝５８に摺動自在に配置され、反転伝達機構５５に噛み合わされる。
【００４８】
なお、検知部５３は、本実施形態にように吸込口体２６に対する検知対象物Ｗの接近を機械的に検知するものに限られず、赤外線センサなどの検出器を用いて非接触に検知対象物Ｗの接近を検知する電気的な回路で構成しても良い。
【００４９】
回転清掃体軸支部５４は、検知部５３が検知対象物Ｗを検知し後方へ移動されると、回転清掃体４６を前側吸込口３９に近づける方向へ移動させる。回転清掃体軸支部５４は、吸込口本体部３１の左右両端部に一対に設けられる。回転清掃体軸支部５４は、ケース体３４に形成された軸支部摺動溝５９によって、吸込口本体部３１の前下方側（すなわち、前側吸込口３９に近い側）から後上方側（すなわち、前側吸込口３９から遠い側）へ往復動自在に保持される。
【００５０】
さらに、回転清掃体軸支部５４は、反転伝達機構５５が噛み合わされたラック部６１を備える。
【００５１】
少なくとも一方の回転清掃体軸支部５４は、回転清掃体４６の駆動力を発生させる電動機６２（駆動部）と、電動機６２から回転清掃体４６に駆動力を伝達させるベルト６３（伝達部）と、を備える。電動機６２およびベルト６３は、回転清掃体軸支部５４とともに一体的に移動する。
【００５２】
反転伝達機構５５は、検知部５３から回転清掃体軸支部５４へ、または回転清掃体軸支部５４から検知部５３へ、その移動方向を略反転させて伝達する。反転伝達機構５５は、ラック部５７に噛み合わされた第一ピニオン６５と、ラック部６１に噛み合わされた第二ピニオン６６と、を備える。第一ピニオン６５と第二ピニオン６６とは、適宜の減速比を有する伝達機構６７によって連動される。
【００５３】
回転清掃体４６は、回転清掃体軸支部５４とともに一体的に移動する。なお、反転伝達機構５５は、検知部５３を赤外線センサなどの検出器を用いて非接触に検知対象物Ｗの接近を検知する電気的な回路で構成した場合、電動機などの駆動源を用いて回転清掃体軸支部５４を移動させるよう構成しても良い。
【００５４】
すなわち、回転清掃体４６は、一対の回転清掃体軸支部５４によって、吸込口本体部３１の前下方側（すなわち、前側吸込口３９に近い側）から後上方側（すなわち、前側吸込口３９から遠い側）へ往復動自在に軸支される。具体的には、回転清掃体４６は、検知部５３によって検知対象物Ｗの接近が検知されたとき、前側吸込口３９に近づきつつ、前側吸込口３９に近づくに連れて底面吸込口４７にも近づく（図５）。
【００５５】
回転清掃体軸支部５４と回転清掃体４６との軸支部分は適宜の隙間（遊び）または回転軸交差方向に弾性を有する。この隙間または弾性によって、左右それぞれの回転清掃体軸支部５４は、独立して摺動できる。すなわち、吸込口体２６は、一方（例えば右側）の検知部５３のみが検知対象物Ｗを検知した場合、回転清掃体４６の一方側（例えば右側）の端部のみ吸込口本体部３１の前下方側に移動させることができる。これにより、吸込口体２６は、吸込口本体部３１に対して回転清掃体４６を傾かせた状態で軸支できる。
【００５６】
回転清掃体４６のブラシ毛５２の毛足（軸部５１の側面から毛先５２ａまでのブラシ毛５２の長さ）は、回転清掃体４６が後上方側（すなわち、前側吸込口３９から遠い側）の移動端に位置されたとき、毛先５２ａが少なくとも底面吸込口４７から突出し被掃除面に当接するように設定される。
【００５７】
また、ブラシ毛５２の毛足は、回転清掃体４６が前下方側（すなわち、前側吸込口３９に近い側）の移動端に位置されたとき、ケース体３４（より詳しくは、蓋ケース３７）の内面に当接するように設定される。これによって、毛先５２ａは、前側吸込口３９および底面吸込口４７の両方から突出する。さらに、ブラシ毛５２の毛足は、回転清掃体４６が前下方側（すなわち、前側吸込口３９に近い側）の移動端に位置されたとき、毛先５２ａが前側吸込口３９および底面吸込口４７の両方から突出した状態において検知対象物Ｗと被掃除面との隅の部分に当接するように設定されることがより好ましい。
【００５８】
付勢部材５６は、コイルばねやトーションばね、板バネなどの弾性体を用いて構成される。
【００５９】
このように構成された吸込口体２６は、検知対象物Ｗと吸込口本体部３１とが接触し、検知対象物Ｗから検知子４１に押圧力が加えられたとき、付勢部材５６の付勢力に抗して検知部５３を吸込口本体部３１の後方に向かって摺動させる。この検知部５３の移動は、反転伝達機構５５を介して回転清掃体軸支部５４を吸込口本体部３１の前下方側（すなわち、前側吸込口３９に近い側）に移動させる。このとき、回転清掃体４６は、回転清掃体軸支部５４と一体に移動し吸込口本体部３１の前下方側の移動端に位置される（図５）。
【００６０】
他方、吸込口体２６は、検知対象物Ｗと吸込口本体部３１とが離れ検知子４１に働く押圧力が無くなると、付勢部材５６の付勢力によって回転清掃体軸支部５４を吸込口本体部３１の後上方に向かって移動させる。この回転清掃体軸支部５４の移動は、反転伝達機構５５を介して伝達され、検知部５３を吸込口本体部３１の前方に向かって移動させる。このとき、回転清掃体４６は、回転清掃体軸支部５４と一体に移動し吸込口本体部３１の後上方側の移動端に位置される。回転清掃体４６は、ほぼ吸込室４５内に位置され、その先端部分のみ底面吸込口４７から突出させる（図４）。
【００６１】
図６は、本発明の実施形態に係る吸込口体を示した底面図である。
【００６２】
図６に示すように、吸込口体２６は、吸込口本体部３１の幅方向の一方側端部（ここでは右側の端部）と検知対象物Ｗとが接触し、検知対象物Ｗから一方（ここでは右側）の検知子４１に押圧力が加えられたとき、付勢部材５６の付勢力に抗して一方（ここでは右側）の検知部５３のみを吸込口本体部３１の後方に向かって摺動させる(図６中、一点鎖線の位置)。この一方の検知部５３の移動は、反転伝達機構５５を介して一方（ここでは右側）の回転清掃体軸支部５４を吸込口本体部３１の前下方側（すなわち、前側吸込口３９に近い側）に移動させる。このとき、回転清掃体４６は、一方（ここでは右側）の端部のみ吸込口本体部３１の前下方側の移動端に位置させる(図６中、一点鎖線の位置)。
【００６３】
これによって、吸込口体２６は、回転清掃体４６の全長に対し、検知対象物Ｗに近い部分だけを検知対象物Ｗに接近させることができる。
【００６４】
図７は、本発明の実施形態に係る吸込口体の他の例を示した断面図である。
【００６５】
なお、本実施形態に係る吸込口体２６Ａにおいて吸込口体２６と同じ構成には同一の符号を付し、重複する説明は省略する。
【００６６】
図７に示すように、吸込口体２６Ａは、ケース体３４（詳しくは、蓋ケース３７）に吸込室４５に連通された貫通孔６８を有する。
【００６７】
貫通孔６８は、貫通孔６８から接続管部３２へ吸い込まれる空気の流れ（図７中、実線矢）が回転清掃体４６のブラシ毛５２に吹き付けられる位置に配置される。貫通孔６８は、吸込室４５に働く負圧によって空気を吸い込む。貫通孔６８から吸い込まれた空気は、ブラシ毛５２に吹き付けられ、回転清掃体４６を回転させる駆動力を発生させる。
【００６８】
また、貫通孔６８は、回転清掃体４６の移動範囲（前下方から後上方）の両移動端においてブラシ毛５２に空気を吹き付けることができるように配置される。
【００６９】
したがって、吸込口体２６Ａは、回転清掃体軸支部５４に回転清掃体４６の駆動力を発生させる原動機を必要とせず、回転清掃体４６の移動に関連する部位を軽量に構成できる。
【００７０】
図８は、本発明の実施形態に係る吸込口体の他の例を示した断面図である。
【００７１】
なお、本実施形態に係る吸込口体２６Ｂにおいて吸込口体２６と同じ構成には同一の符号を付し、重複する説明は省略する。
【００７２】
図８に示すように、吸込口体２６Ｂは、吸込室４５に配置された回転清掃体４６Ｂを備える。
【００７３】
回転清掃体４６Ｂは、軸部５１の軸芯に設けられた電動機６９（駆動部）を備える。電動機６９は、回転清掃体４６Ｂの駆動力を発生させる。
【００７４】
したがって、吸込口体２６Ｂは、吸込口体２６Ａと同様に回転清掃体軸支部５４に回転清掃体４６の駆動力を発生させる原動機を必要とせず、回転清掃体４６の移動に関連する部位を軽量に構成できる。また、吸込口体２６Ｂは、電動機６９の入力の極性を変更することによって回転清掃体の回転方向を容易に反転させることができる。
【００７５】
次に、本実施形態に係る電気掃除機１の動作を説明する。
【００７６】
電気掃除機１のユーザは、先ず、掃除機本体２に管部３、すなわち集塵ホース２１と延長管２５と吸込口体２６、２６Ａ、２６Ｂとを適宜の順序で接続する。
【００７７】
次に、掃除機本体２から電源コード１１を引き出し、商用電源を供給するコンセント（図示省略）に電源プラグ１４を接続する。
【００７８】
次に、電気掃除機１のユーザは、把持部２３を把持して起動スイッチ２４ｂを操作する。
【００７９】
そうすると、制御部９は、起動スイッチ２４ｂで設定された動作モードに従い電動送風機８を駆動させる。電動送風機８の駆動によって掃除機本体２と管部３とに負圧が生じ、電気掃除機１は吸込口体２６、２６Ａ、２６Ｂの前側吸込口３９および底面吸込口４７から空気を吸い込む。
【００８０】
次いで、電気掃除機１のユーザは、把持部２３を把持したまま手元操作管２２および延長管２５を前後に往復動させる。そうすると、吸込口体２６、２６Ａ、２６Ｂは、被掃除面上を前後に往復走行しつつ空気とともに被掃除面の塵埃を吸込口体２６、２６Ａ、２６Ｂに吸い込む。
【００８１】
そして、吸込口体２６、２６Ａ、２６Ｂは、床面などの被掃除面上を走行しているとき（すなわち、検知部５３に検知対象物Ｗが接触して無いないとき）、回転清掃体４６を後上方側の移動端に位置させる（図４）。これによって、回転清掃体４６のブラシ毛５２は、被掃除面を掃き上げる。ブラシ毛５２によって掃き上げられた塵埃は、空気とともに前側吸込口３９および底面吸込口４７から吸い込まれ吸込口体２６、２６Ａ、２６Ｂに吸い込まれる。
【００８２】
また、吸込口体２６、２６Ａ、２６Ｂは、壁や家具などの検知対象物Ｗに接近したとき（すなわち、検知部５３に検知対象物Ｗが接触したとき）、回転清掃体４６を前下方側の移動端に位置させる（図５）。これによって、回転清掃体４６のブラシ毛５２は、検知対象物Ｗと被掃除面との隅を掃き上げる。ブラシ毛５２によって掃き上げられた塵埃は、空気とともに前側吸込口３９および底面吸込口４７から吸い込まれ吸込口体２６、２６Ａ、２６Ｂに吸い込まれる。
【００８３】
さらに、吸込口体２６、２６Ａ、２６Ｂは、その幅方向の片側のみ（例えば、右側のみ）が壁や家具などの検知対象物Ｗに接近したとき（例えば、右側の検知部５３に検知対象物Ｗが接触したとき）、回転清掃体４６の一方側の端部を前下方側の移動端に位置させる（図６）。これによって、回転清掃体４６は、検知対象物Ｗに接近した部分だけを検知対象物Ｗに近づけ、検知対象物Ｗと被掃除面との隅を掃き上げる。
【００８４】
吸込口体２６、２６Ａ、２６Ｂに吸い込まれた含塵空気は、延長管２５、手元操作管２２および集塵ホース２１と順次に通過した後、掃除機本体２に案内される。
【００８５】
掃除機本体２に案内された含塵空気は、塵埃分離集塵部７に吸い込まれ塵埃と空気とに分離される。分離された塵埃は、塵埃分離集塵部７に捕集される。他方、分離された空気は、さらに電動送風機８に吸い込まれ、掃除機本体２から排気される。
【００８６】
このようにして電気掃除機１は、吸込口体２６、２６Ａ、２６Ｂから吸い込んだ塵埃を捕集する。
【００８７】
本実施形態に係る吸込口体２６、２６Ａ、２６Ｂは、検知対象物Ｗに吸込口本体部３１が十分に近づいたとき、回転清掃体４６を前側吸込口３９および底面吸込口４７から前下方に向かって突出させて検知対象物Ｗと被掃除面との隅を掃除する。これによって、吸込口体２６、２６Ａ、２６Ｂは、検知対象物Ｗと被掃除面との隅に回転清掃体４６を容易に届かせ、塵埃を効率よく掃き上げることができる。
【００８８】
また、本実施形態に係る吸込口体２６、２６Ａ、２６Ｂは、吸込口の前側部分を覆うカバーが大きく開かれる従来の吸込口体に比べ、前側吸込口３９および底面吸込口４７の開口面積を変化させることなく回転清掃体４６を検知対象物Ｗと被掃除面との隅に接近させることができる。これによって、吸込口体２６、２６Ａ、２６Ｂは、検知対象物Ｗと被掃除面との隅に接近したとき、前側吸込口３９および底面吸込口４７の開口面積を回転清掃体４６によって絞ることができるので、吸い込む空気の流速を容易に高められる。
【００８９】
さらに、本実施形態に係る吸込口体２６、２６Ａ、２６Ｂは、通常時（検知対象物Ｗに接近していないとき）、回転清掃体４６を吸込口本体部３１の後上方に移動させ、略吸込室４５内に位置させる。これによって、吸込口体２６、２６Ａ、２６Ｂは、電気掃除機１のユーザが不意に回転清掃体４６に触れることを防ぐとともに、回転清掃体４６が蓋ケース３７に当接されることによって生じる抵抗を防ぐことができる。
【００９０】
さらにまた、吸込口体２６、２６Ａ、２６Ｂは、電気掃除機１のユーザが故意に検知部５３を押圧し、回転清掃体４６を前側吸込口３９および底面吸込口４７から突出させても、吸込口の前側部分を覆うカバーが大きく開かれる従来の吸込口体に比べ、前側吸込口３９および底面吸込口４７の開口面積が変化しないので、安全性が高く衛生上も好適である。
【００９１】
したがって、本実施形態に係る電気掃除機１および吸込口体２６、２６Ａ、２６Ｂによれば、容易に触れることのできない回転清掃体４６を備え安全性を向上させるとともに、壁際などの構造物の隅部分の塵埃を効率的に掃除できる。
【００９２】
なお、本発明に係る電気掃除機１は、キャニスタ型の電気掃除機１に限らず、アップライト型、スティック型、ハンディ型あるいは自律走行型などの電気掃除機１であってもよい。
【符号の説明】
【００９３】
１  電気掃除機
２  掃除機本体
３  管部
５  本体ケース
６  車輪
７  塵埃分離集塵部
８  電動送風機
９  制御部
１１  電源コード
１２  接続口
１４  電源プラグ
１５  本体接続口
１９  接続管
２１  集塵ホース
２２  手元操作管
２３  把持部
２４  操作部
２４ａ  停止スイッチ
２４ｂ  起動スイッチ
２５  延長管
２６、２６Ａ、２６Ｂ  吸込口体
３１  吸込口本体部
３１ａ  底面
３１ｂ  前面
３２  接続管部
３４  ケース体
３５  下ケース
３６  上ケース
３７  蓋ケース
３９  前側吸込口
４１  検知子
４３  回転接続管部
４４  揺動接続管部
４５  吸込室
４６、４６Ｂ  回転清掃体
４７  底面吸込口
４９  案内管
５１  軸部
５２  ブラシ毛
５２ａ  毛先
５３  検知部
５４  回転清掃体軸支部
５５  反転伝達機構
５６  付勢部材
５７  ラック部
５８  検知部摺動溝
５９  軸支部摺動溝
６１  ラック部
６２  電動機
６３  ベルト
６５  第一ピニオン
６６  第二ピニオン
６７  伝達機構
６８  貫通孔
６９  電動機
【図１】
0005388782.tif 000002
【図２】
0005388782.tif 000003
【図３】
0005388782.tif 000004
【図４】
0005388782.tif 000005
【図５】
0005388782.tif 000006
【図６】
0005388782.tif 000007
【図７】
0005388782.tif 000008
【図８】
0005388782.tif 000009